(57)【特許請求の範囲】
【請求項１】
誤り検出符号化される第１個別チャネルと、誤り検出符号化されない第２個別チャネルと、が混在する無線通信システムにおいて使用されるアウターループ送信電力制御方法であって、
第１個別チャネルのＤＴＸ区間以外では、第１個別チャネルを介して送信されるビット列の誤り検出結果に基づいて、第２個別チャネルのアウターループ送信電力制御の目標ＳＩＲを設定する一方、
第１個別チャネルのＤＴＸ区間では、ビット列の代わりに第１個別チャネルを介して送信されるランダム系列の誤り検出結果に基づいて、第２個別チャネルのアウターループ送信電力制御の目標ＳＩＲを設定する、
ことを特徴とするアウターループ送信電力制御方法。
【請求項２】
誤り検出符号化される第１個別チャネルと、誤り検出符号化されない第２個別チャネルと、が混在する無線通信システムにおいて使用される無線通信装置であって、
第１個別チャネルを介して送信されるビット列があるか否か監視する監視手段と、
ビット列がないＤＴＸ区間において、第２個別チャネルのアウターループ送信電力制御に使用されるランダム系列を作成する作成手段と、
作成されたランダム系列を誤り検出符号化する符号化手段と、
誤り検出符号化されたランダム系列を第１個別チャネルを介して送信する送信手段と、
を具備することを特徴とする無線通信装置。
【請求項３】
誤り検出符号化される第１個別チャネルと、誤り検出符号化されない第２個別チャネルと、が混在する無線通信システムにおいて使用される無線通信装置であって、
第１個別チャネルのＤＴＸ区間において、第２個別チャネルのアウターループ送信電力制御に使用されるランダム系列を第１個別チャネルを介して受信する受信手段と、
第２個別チャネルの受信ＳＩＲを測定する測定手段と、
測定された受信ＳＩＲと、ランダム系列の誤り検出結果に基づいて設定された目標ＳＩＲとの比較結果に基づいて、第２個別チャネル用のＴＰＣコマンドを作成する作成手段と、
作成されたＴＰＣコマンドを第２個別チャネルを介して送信する送信手段と、
を具備することを特徴とする無線通信装置。
【発明の詳細な説明】
【０００１】
【発明の属する技術分野】
本発明は、アウターループ送信電力制御方法および無線通信装置に関する。
【０００２】
【従来の技術】
無線通信システムの分野において、高速大容量な下りチャネルを複数の通信端末が共有し、下り回線で高速パケット伝送を行うＨＳＤＰＡ（Ｈｉｇｈ  Ｓｐｅｅｄ  Ｄｏｗｎｌｉｎｋ  Ｐａｃｋｅｔ  Ａｃｃｅｓｓ）が提案されている。また、最近、上り回線のパケット伝送速度を高速化するための技術（この技術を、以下、本明細書中ではＦａｓｔ−ＵＬ（Ｆａｓｔ  −  Ｕｐｌｉｎｋ）という）が検討されている。ＨＳＤＰＡでは、ＨＳ−ＰＤＳＣＨ（Ｈｉｇｈ  Ｓｐｅｅｄ  −  Ｐｈｙｓｉｃａｌ  Ｄｏｗｎｌｉｎｋ  Ｓｈａｒｅｄ  Ｃｈａｎｎｅｌ）、Ａ−ＤＰＣＨ（Ａｓｓｏｃｉａｔｅｄ  −  Ｄｅｄｉｃａｔｅｄ  Ｐｈｙｓｉｃａｌ  Ｃｈａｎｎｅｌ）、ＨＳ−ＤＰＣＣＨ（Ｈｉｇｈ  Ｓｐｅｅｄ  −  Ｄｅｄｉｃａｔｅｄ  Ｐｈｙｓｉｃａｌ  Ｃｏｎｔｒｏｌ  Ｃｈａｎｎｅｌ）等の複数のチャネルが用いられる。また、Ｆａｓｔ−ＵＬでも同様に、ＨＳ−ＰＵＳＣＨ（Ｈｉｇｈ  Ｓｐｅｅｄ  −  Ｐｈｙｓｉｃａｌ  Ｕｐｌｉｎｋ  Ｓｈａｒｅｄ  Ｃｈａｎｎｅｌ）、Ａ−ＤＰＣＨ、ＨＳ−ＤＰＣＣＨ等の複数のチャネルが用いられると考えられる。
【０００３】
ＨＳ−ＰＤＳＣＨは、パケットの伝送に使用される下り方向の共有チャネルである。ＨＳ−ＰＵＳＣＨは、パケットの伝送に使用される上り方向の共有チャネルである。Ａ−ＤＰＣＨは、共有チャネルに付随する、上り方向または下り方向の個別付随チャネルであり、パイロット信号やＴＰＣ（Ｔｒａｎｓｍｉｓｓｉｏｎ  Ｐｏｗｅｒ  Ｃｏｎｔｒｏｌ）コマンドおよび通信を維持するための制御信号等が伝送される。ＨＳ−ＤＰＣＣＨは、上り方向または下り方向の個別制御チャネルであり、ＡＣＫ信号あるいはＮＡＣＫ信号、ＣＱＩ（Ｃｈａｎｎｅｌ  Ｑｕａｌｉｔｙ  Ｉｎｄｉｃａｔｏｒ）信号等、共有チャネルを制御するための信号が伝送される。なお、ＡＣＫ信号とは、基地局また通信端末から送信された高速パケットが、通信端末または基地局において正しく復調できたことを示す信号であり、ＮＡＣＫ信号とは、基地局また通信端末から送信された高速パケットが、通信端末または基地局において正しく復調できなかったことを示す信号である。また、ＣＱＩは、回線品質に基づいて作成される信号であり、例えば、パケットの変調方式、ブロックサイズ、送信電力調節値等の組み合わせを示す信号である。ＨＳＤＰＡでは、通信端末は、このＣＱＩを使用して、自分が望む変調方式、ブロックサイズ、送信電力調節値等を通信相手に通知する。Ｆａｓｔ−ＵＬでのＣＱＩも回線品質に基づいて作成される信号ではあるが、その具体的な内容については決まっていない。
【０００４】
なお、Ｆａｓｔ−ＵＬでは、Ａ−ＤＰＣＨ、ＨＳ−ＤＰＣＣＨ共に、上り方向および下り方向の双方が存在し、上り方向のＨＳ−ＤＰＣＣＨを介してＣＱＩが伝送され、下り方向のＨＳ−ＤＰＣＣＨを介してＡＣＫ信号／ＮＡＣＫ信号が伝送される。これに対し、ＨＳＤＰＡでは、Ａ−ＤＰＣＨは上り方向および下り方向の双方が存在するが、ＨＳ−ＤＰＣＣＨは上り方向しか存在せず、上り方向のＨＳ−ＤＰＣＣＨを介してＣＱＩとＡＣＫ信号／ＮＡＣＫ信号が伝送される。また、Ａ−ＤＰＣＨにはソフトハンドオーバ（ＳＨＯ）が適用される。これに対し、ＨＳ−ＰＤＳＣＨ、ＨＳ−ＰＵＳＣＨおよびＨＳ−ＤＰＣＣＨにはハードハンドオーバ（ＨＨＯ）が適用され、ＨＳ−ＰＤＳＣＨ、ＨＳ−ＰＵＳＣＨおよびＨＳ−ＤＰＣＣＨは常に１つの基地局だけと接続される。また、ＨＳ−ＰＤＳＣＨやＨＳ−ＰＵＳＣＨがＨＨＯするタイミングと、ＨＳ−ＤＰＣＣＨがＨＨＯするタイミングは同じである。
【０００５】
また、ＨＳＤＰＡやＦａｓｔ−ＵＬでの送信電力制御には、アウターループ送信電力制御が用いられることがある。アウターループ送信電力制御では、受信品質を目標品質に保つために、受信品質に応じて目標ＳＩＲを上下する。そして、目標ＳＩＲと受信ＳＩＲとの比較結果に基づいてＴＰＣコマンドが作成される。受信品質としては、ＣＲＣ（Ｃｙｃｌｉｃ  Ｒｅｄｕｎｄａｎｃｙ  Ｃｈｅｃｋ）による誤り検出結果（ＣＲＣ結果）に基づいたＢＬＥＲ（Ｂｌｏｃｋ  Ｅｒｒｏｒ  Ｒａｔｅ）を用いる。ＣＲＣ＝ＯＫの場合は目標ＳＩＲをＤｅｃだけ下げ、ＣＲＣ＝ＮＧの場合は目標ＳＩＲをＩｎｃだけ上げる。目標ＢＬＥＲをＢＬＥＲ＿Ｔとすると、ＤｅｃおよびＩｎｃの関係は以下の式で表される。ただし、Ｉｎｃ＞０である。
Ｉｎｃ  ×  ＢＬＥＲ＿Ｔ  ＝  Ｄｅｃ  ×  （１  −  ＢＬＥＲ＿Ｔ）    …（１）
【０００６】
【発明が解決しようとする課題】
ＨＳＤＰＡやＦａｓｔ−ＵＬでは、ＨＳ−ＤＰＣＣＨのアウターループ送信電力制御を、Ａ−ＤＰＣＨのＣＲＣ結果を用いて行っている。ここで、送信すべきビット列がない場合に送信を停止するモード、すなわちＤＴＸ（Ｄｉｓｃｏｎｔｉｎｕｏｕｓ  Ｔｒａｎｓｍｉｓｓｉｏｎ）がＡ−ＤＰＣＨに適用される場合を考えると、ＤＴＸ時にはＡ−ＤＰＣＨでのＣＲＣ結果が得られないため、ＨＳ−ＤＰＣＣＨのアウターループ送信電力制御の目標ＳＩＲが適切な値に設定されなくなってしまう。その結果、Ａ−ＤＰＣＨのＤＴＸ時には、ＨＳ−ＤＰＣＣＨの送信電力が過剰になったり不足したりしてしまい、ＨＳ−ＤＰＣＣＨのアウターループ送信電力制御を適切に行えなくなってしまう。
【０００７】
本発明はかかる点に鑑みてなされたものであり、Ａ−ＤＰＣＨとＨＳ−ＤＰＣＣＨとが混在する無線通信システムにおいて、Ａ−ＤＰＣＨのＤＴＸ時にも、ＨＳ−ＤＰＣＣＨに対して適切なアウターループ送信電力制御を行うことができるアウターループ送信電力制御方法および無線通信装置を提供することを目的とする。
【０００８】
【課題を解決するための手段】
本発明は、上記課題を解決し、目的を達成するために、ＣＲＣ符号化されるＡ−ＤＰＣＨと、ＣＲＣ符号化されないＨＳ−ＤＰＣＣＨとが混在する無線通信システムにおいて、Ａ−ＤＰＣＨを介して送信されるビット列が存在する区間（すなわち、Ａ−ＤＰＣＨがＤＴＸでない区間）では、そのビット列の誤り検出結果に基づいてＨＳ−ＤＰＣＣＨのアウターループ送信電力制御を行う一方、Ａ−ＤＰＣＨを介して送信されるビット列が存在しない区間（すなわち、Ａ−ＤＰＣＨがＤＴＸである区間）では、そのビット列の代わりにＡ−ＤＰＣＨを介して送信されるランダム系列の誤り検出結果に基づいてＨＳ−ＤＰＣＣＨのアウターループ送信電力制御を行うことを特徴とする。
【０００９】
この特徴により、Ａ−ＤＰＣＨとＨＳ−ＤＰＣＣＨとが混在する無線通信システムにおいて、Ａ−ＤＰＣＨのＤＴＸ時にも、ＨＳ−ＤＰＣＣＨに対して適切なアウターループ送信電力制御を行うことができる。
【００１０】
【発明の実施の形態】
図１は、本発明の一実施の形態に係る無線通信装置の構成を示すブロック図である。この無線通信装置は、Ａ−ＤＰＣＨがＣＲＣ符号化されるのに対しＨＳ−ＤＰＣＣＨがＣＲＣ符号化されない移動体通信システムにおいて、通信端末装置や基地局装置に搭載されるものである。また、この移動体通信システムでは、Ａ−ＤＰＣＨではＤＴＸが行われるのに対し、ＨＳ−ＤＰＣＣＨではＤＴＸが行われない。また、この無線通信装置は、Ｆａｓｔ−ＵＬやＨＳＤＰＡが行われる移動体通信システムにおいて使用されるものである。
【００１１】
送信データ監視部１２は、Ａ−ＤＰＣＨの送信データ（ビット列）があるか否か監視する。そして、送信データがない状態が所定時間続けば、疑似データ作成部１４に対してランダム系列である疑似データを作成するように指示する。この指示に従って、疑似データ作成部１４は、疑似データを作成して符号化部１６に入力する。つまり、疑似データ作成部１４は、Ａ−ＤＰＣＨを介して送信されるデータがない区間（ＤＴＸ区間）において、送信データの代わりに疑似データを作成する。この疑似データは、通信相手の無線通信装置において、ＨＳ−ＤＰＣＣＨのアウターループ送信電力制御に使用される。また、Ａ−ＤＰＣＨの送信データがある区間では、符号化部１６にはＡ−ＤＰＣＨの送信データが入力される。また、符号化部１６には、ＨＳ−ＰＤＣＣＨの送信データが入力される。
【００１２】
送信部１００は、符号化部１６、変調部１８、拡散部２０、送信無線部２２から構成される。
【００１３】
符号化部１６は、Ａ−ＤＰＣＨの送信データまたは疑似データを畳み込み符号化およびＣＲＣ符号化し、複数のタイムスロットから構成される送信フレームを構成する。また、符号化部１６は、ＨＳ−ＤＰＣＣＨの送信データを畳み込み符号し、複数のタイムスロットから構成される送信フレームを構成する。つまり、Ａ−ＤＰＣＨはＣＲＣ符号化されるが、ＨＳ−ＤＰＣＣＨはＣＲＣ符号化されない。なお、誤り検出符号化として、ＣＲＣ符号化以外の符号化方法を用いることも可能である。送信フレームを構成するとき、符号化部１６は、Ａ−ＤＰＣＨのタイムスロットにＡ−ＤＰＣＨ用のＴＰＣコマンドを埋め込み、ＨＳ−ＤＰＣＣＨのタイムスロットにＨＳ−ＤＰＣＣＨ用のＴＰＣコマンドを埋め込む。これらのＴＰＣコマンドは、ＴＰＣコマンド作成部４０から入力される。
【００１４】
変調部１８は、送信データまたは疑似データに対してＱＰＳＫ等の変調処理を施す。拡散部２０は、変調後の送信信号または疑似信号に対して、それぞれのチャネルに割り当てられている拡散コードで拡散処理を施す。
【００１５】
送信無線部２２は、拡散後の送信信号または疑似信号に対してＤ／Ａ変換、送信電力制御、アップコンバート等の処理を施した後、送信信号をアンテナ２４を介して送信する。送信無線部２２は、Ａ−ＤＰＣＨの送信信号または疑似信号をＡ−ＤＰＣＨを介して送信し、ＨＳ−ＤＰＣＣＨの送信信号をＨＳ−ＤＰＣＣＨを介して送信する。また、送信無線部２２は、Ａ−ＤＰＣＨの送信電力をＡ−ＤＰＣＨ用のＴＰＣコマンドに従って制御すると共に、ＨＳ−ＤＰＣＣＨの送信電力をＨＳ−ＤＰＣＣＨ用のＴＰＣコマンドに従って制御する。これらのＴＰＣコマンドは、ＴＰＣコマンド抽出部３４から入力される。
【００１６】
受信部２００は、受信無線部２６、逆拡散部２８、復調部３０、復号部３２から構成される。
【００１７】
受信無線部２６は、アンテナ２４を介して受信された信号に対してダウンコンバート、ＡＧＣ（Ａｕｔｏ  Ｇａｉｎ  Ｃｏｎｔｒｏｌ）、Ａ／Ｄ変換等の処理を施す。通信相手の無線通信装置は図１と同様の構成を有し、Ａ−ＤＰＣＨのＤＴＸ区間では、送信信号の代わりに疑似信号をＡ−ＤＰＣＨを介して送信する。よって、受信無線部２６は、Ａ−ＤＰＣＨのＤＴＸ区間では、Ａ−ＤＰＣＨを介して疑似信号を受信する。また、受信無線部２６には、ＤＴＸ区間以外では、Ａ−ＤＰＣＨの受信信号が入力される。また、受信無線部２６には、ＨＳ−ＤＰＣＣＨの受信信号が入力される。
【００１８】
逆拡散部２８は、受信信号または疑似信号に対して、それぞれのチャネルに割り当てられている拡散コードで逆拡散処理を施す。復調部３０は、逆拡散後のＱＰＳＫ信号等である受信信号または疑似信号を復調する。復調された信号は、復号部３２およびＳＩＲ測定部３８に入力される。
【００１９】
復号部３２は、Ａ−ＤＰＣＨの受信信号または疑似信号に対して、誤り訂正復号およびＣＲＣ判定による誤り検出を行う。また、復号部３２は、ＨＳ−ＤＰＣＣＨの受信信号に対して、誤り訂正復号だけを行う。これにより、Ａ−ＤＰＣＨの受信データ（ビット列）または疑似データ（ランダム系列）、およびＨＳ−ＤＰＣＣＨの受信データ（ビット列）が得られる。受信データはＴＰＣコマンド抽出部３４に入力される。また、Ａ−ＤＰＣＨのＣＲＣ結果、すなわち、ＣＲＣ＝ＯＫ（誤りなし）またはＣＲＣ＝ＮＧ（誤りあり）は目標ＳＩＲ設定部３６に入力される。Ａ−ＤＰＣＨのＤＴＸ区間では疑似データのＣＲＣ結果が入力され、Ａ−ＤＰＣＨのＤＴＸ区間以外では受信データのＣＲＣ結果が入力される。
【００２０】
ＴＰＣコマンド抽出部３４は、受信データのタイムスロットに格納されているＴＰＣコマンドを抽出する。ＴＰＣコマンド抽出部３４は、Ａ−ＤＰＣＨの受信データからＡ−ＤＰＣＨ用のＴＰＣコマンドを抽出し、ＨＳ−ＤＰＣＣＨの受信データからＨＳ−ＤＰＣＣＨ用のＴＰＣコマンドを抽出する。抽出されたＴＰＣコマンドは、送信無線部２２に入力される。
【００２１】
目標ＳＩＲ設定部３６は、Ａ−ＤＰＣＨのＣＲＣ結果に基づいて、Ａ−ＤＰＣＨの目標ＳＩＲおよびＨＳ−ＤＰＣＣＨの目標ＳＩＲを設定する。すなわち、ＣＲＣ＝ＯＫの場合は目標ＳＩＲをＤｅｃだけ下げ、ＣＲＣ＝ＮＧの場合は目標ＳＩＲをＩｎｃだけ上げる。ここで、ＤｅｃとＩｎｃの関係は上式（１）に示すとおりである。目標ＳＩＲ設定部３６は、Ａ−ＤＰＣＨのＤＴＸ区間では疑似データのＣＲＣ結果に基づいて、Ａ−ＤＰＣＨのＤＴＸ区間以外では受信データのＣＲＣ結果に基づいて、Ａ−ＤＰＣＨの目標ＳＩＲおよびＨＳ−ＤＰＣＣＨの目標ＳＩＲを設定する。設定された両者の目標ＳＩＲはＴＰＣコマンド作成部４０に入力される。
【００２２】
ＳＩＲ測定部３８は、受信信号のうちパイロット系列のシンボルのＳＩＲを測定する。ＳＩＲ測定部３８は、Ａ−ＤＰＣＨについては、ＤＴＸ区間では受信信号のＳＩＲを測定し、ＤＴＸ区間以外では疑似信号のＳＩＲを測定する。また、ＳＩＲ測定部３８は、ＨＳ−ＤＰＣＣＨについては、受信信号のＳＩＲを測定する。測定されたＳＩＲはそれぞれ、ＴＰＣコマンド作成部４０に入力される。
【００２３】
ＴＰＣコマンド作成部４０は、Ａ−ＤＰＣＨの受信ＳＩＲとＡ−ＤＰＣＨの目標ＳＩＲとを比較し、その比較結果に基づいてＡ−ＤＰＣＨ用のＴＰＣコマンドを作成する。また、ＨＳ−ＤＰＣＣＨの受信ＳＩＲとＨＳ−ＤＰＣＣＨの目標ＳＩＲとを比較し、その比較結果に基づいてＨＳ−ＤＰＣＣＨ用のＴＰＣコマンドを作成する。
【００２４】
つまり、Ａ−ＤＰＣＨのＤＴＸ区間では、ＨＳ−ＤＰＣＣＨについては、Ａ−ＤＰＣＨの疑似データのＣＲＣ結果に基づいて設定されたＨＳ−ＤＰＣＣＨの目標ＳＩＲとＨＳ−ＤＰＣＣＨの受信ＳＩＲとが比較され、Ａ−ＤＰＣＨについては、Ａ−ＤＰＣＨの疑似データのＣＲＣ結果に基づいて設定されたＡ−ＤＰＣＨの目標ＳＩＲとＡ−ＤＰＣＨの受信ＳＩＲとが比較される。
【００２５】
一方、Ａ−ＤＰＣＨのＤＴＸ区間以外では、ＨＳ−ＤＰＣＣＨについては、Ａ−ＤＰＣＨの受信データのＣＲＣ結果に基づいて設定されたＨＳ−ＤＰＣＣＨの目標ＳＩＲとＨＳ−ＤＰＣＣＨの受信ＳＩＲとが比較され、Ａ−ＤＰＣＨについては、Ａ−ＤＰＣＨの受信データのＣＲＣ結果に基づいて設定されたＡ−ＤＰＣＨの目標ＳＩＲとＡ−ＤＰＣＨの受信ＳＩＲとが比較される。
【００２６】
なお、測定されたＳＩＲが目標ＳＩＲ以上であれば送信電力を下げること（Ｄｏｗｎ）を指示するＴＰＣコマンドが作成され、測定されたＳＩＲが目標ＳＩＲ未満であれば送信電力を上げること（Ｕｐ）を指示するＴＰＣコマンドが作成される。作成されたＴＰＣコマンドはそれぞれ、符号化部１６に入力される。
【００２７】
なお、上記構成の無線通信装置が基地局装置に搭載される場合は、自局が通信している全通信端末装置分の処理を並行して行う。また、基地局装置でアウターループ送信電力制御を行う場合には、上記目標ＳＩＲ設定部は、基地局装置の上位の制御局装置に存在し、制御局装置で設定された目標ＳＩＲが基地局装置に通知されるのが一般的である。
【００２８】
図２は、疑似データの送信の様子を図示したものである。図２に示すように、Ａ−ＤＰＣＨでは、送信データが存在しない区間（すなわちＤＴＸ区間）において、送信データの代わりに、一定周期Δｔｘで疑似データが送信される。ＨＳ−ＤＰＣＣＨではＤＴＸが行われないため、Ａ−ＤＰＣＨのＤＴＸ区間でも、送信データが存在する。ＨＳ−ＤＰＣＣＨのアウターループ送信電力制御は、Ａ−ＤＰＣＨのＣＲＣ結果を用いて行われる。つまり、ＤＴＸ区間以外では、Ａ−ＤＰＣＨの送信データのＣＲＣ結果に基づいてＨＳ−ＤＰＣＣＨの目標ＳＩＲが設定され、ＤＴＸ区間では、Ａ−ＤＰＣＨの疑似データのＣＲＣ結果に基づいてＨＳ−ＤＰＣＣＨの目標ＳＩＲが設定される。
【００２９】
次に、Ｆａｓｔ−ＵＬを例に挙げ、Ａ−ＤＰＣＨのＤＴＸ区間におけるＨＳ−ＤＰＣＣＨのアウターループ送信電力制御について説明する。なお、Ａ−ＤＰＣＨの送信電力制御については従来と同様のため説明を省略する。
【００３０】
まず、図３を用いて、ＨＳ−ＤＰＣＣＨの上り方向のアウターループ送信電力制御について説明する。上り方向のＡ−ＤＰＣＨのＤＴＸ区間では、上り方向のＡ−ＤＰＣＨを介して、通信端末から基地局へ疑似データが送信される。基地局もしくは図示しない制御局では、疑似データのＣＲＣ結果に基づいてＨＳ−ＤＰＣＣＨの目標ＳＩＲを設定する。そして、基地局は、目標ＳＩＲと上り方向のＨＳ−ＤＰＣＣＨの受信ＳＩＲとの比較結果に基づいて上り方向のＨＳ−ＤＰＣＣ用のＴＰＣコマンドを作成し、このＴＰＣコマンドを下り方向のＨＳ−ＤＰＣＣＨを介して通信端末へ送信する。通信端末は、このＴＰＣコマンドに従って、上り方向のＨＳ−ＤＰＣＣＨの送信電力を制御する。
【００３１】
次に、図４を用いて、ＨＳ−ＤＰＣＣＨの下り方向のアウターループ送信電力制御について説明する。下り方向のＡ−ＤＰＣＨのＤＴＸ区間では、下り方向のＡ−ＤＰＣＨを介して、基地局から通信端末へ疑似データが送信される。通信端末では、疑似データのＣＲＣ結果に基づいてＨＳ−ＤＰＣＣＨの目標ＳＩＲを設定する。そして、通信端末は、目標ＳＩＲと下り方向のＨＳ−ＤＰＣＣＨの受信ＳＩＲとの比較結果に基づいて下り方向のＨＳ−ＤＰＣＣ用のＴＰＣコマンドを作成し、このＴＰＣコマンドを上り方向のＨＳ−ＤＰＣＣＨを介して基地局へ送信する。基地局は、このＴＰＣコマンドに従って、下り方向のＨＳ−ＤＰＣＣＨの送信電力を制御する。
【００３２】
なお、図３および図４ではＡ−ＤＰＣＨが１つの基地局と接続している場合について説明したが、Ａ−ＤＰＣＨが複数の基地局と接続される場合、すなわち、Ａ−ＤＰＣＨがＳＨＯ状態にある場合にも、本実施形態は適用可能である。また、図３および図４ではＦａｓｔ−ＵＬを例に挙げて説明したが、これに限られるものではなく、本実施形態は、ＣＲＣ符号化されるＡ−ＤＰＣＨとＣＲＣ符号化されないＨＳ−ＤＰＣＣＨとが混在する無線通信システムにはすべて適用可能である。
【００３３】
このように、本実施の形態によれば、Ａ−ＤＰＣＨで送信データが存在しないときでも、ＣＲＣ符号化された疑似データが一定周期でＡ−ＤＰＣＨを介して送信されるため、Ａ−ＤＰＣＨで送信データが存在しないときでも、Ａ−ＤＰＣＨのＣＲＣ結果に基づいてＨＳ−ＤＰＣＣＨの目標ＳＩＲを適切な値に制御することができる。
【００３４】
【発明の効果】
以上説明したように、本発明によれば、Ａ−ＤＰＣＨとＨＳ−ＤＰＣＣＨとが混在する無線通信システムにおいて、Ａ−ＤＰＣＨのＤＴＸ時にも、ＨＳ−ＤＰＣＣＨに対して適切なアウターループ送信電力制御を行うことができる。
【図面の簡単な説明】
【図１】本発明の一実施の形態に係る無線通信装置の構成を示すブロック図
【図２】本発明の一実施の形態に係る疑似データの送信の様子を示す図
【図３】本発明の一実施の形態に係るＨＳ−ＤＰＣＣＨの上り方向の送信電力制御について説明するための図
【図４】本発明の一実施の形態に係るＨＳ−ＤＰＣＣＨの下り方向の送信電力制御について説明するための図
【符号の説明】
１２  送信データ監視部
１４  疑似データ作成部
１６  符号化部
１８  変調部
２０  拡散部
２２  送信無線部
２４  アンテナ
２６  受信無線部
２８  逆拡散部
３０  復調部
３２  復号部
３４  ＴＰＣコマンド抽出部
３６  目標ＳＩＲ設定部
３８  ＳＩＲ測定部
４０  ＴＰＣコマンド作成部
１００  送信部
２００  受信部
【図１】
0003629017.tif 000002
【図２】
0003629017.tif 000003
【図３】
0003629017.tif 000004
【図４】
0003629017.tif 000005